(57)【要約】【課題】貼付部の交換頻度を低くし、ランニングコスト高を抑えることができる。【解決手段】投影部２０は、光学層を設けたおもて面と反対側に設けられ、かつ分離可能に貼り付く貼付力を有するマグネットシート２２等の第３貼付層を備え、該マグネットシート２２等の第３貼付層をマグネットシート１２等の第２貼付層に貼り付ける。貼付部１０のマグネットシート１２の磁着力が弱くなった場合、投影部２０のマグネットシート２２の磁着力が弱くなっていなければ、投影部２０のマグネットシート２２の磁着力だけで貼付部１０に投影部２０を貼り付けられる。この場合、貼付部１０を交換せずに継続して使用できる。貼付部の交換頻度を低くすることができ、ランニングコスト高を抑えることができる。【選択図】図１
2014109721.tif 000002
【特許請求の範囲】
【請求項１】
投影装置から投影された画像光を映す光学層を有する投影部と、貼付対象物に対向する側に設けられ、かつ分離可能に貼り付く貼付力を有する第１貼付層、及び前記投影部の前記光学層を設けたおもて面と反対側の面に対向する側に設けられ、かつ分離可能に貼り付く貼付力を有する第２貼付層を備えた貼付部とを有する投影スクリーンにおいて、
前記投影部は、前記光学層を設けたおもて面と反対側に設けられ、かつ分離可能に貼り付く貼付力を有する第３貼付層を備え、該第３貼付層を前記第２貼付層に貼り付けることを特徴とする投影スクリーン。
【請求項２】
請求項１記載の投影スクリーンにおいて、
前記投影部又は前記貼付部の少なくともいずれかに、基材を含むことを特徴とする投影スクリーン。
【請求項３】
請求項２記載の投影スクリーンにおいて、
前記基材は、金属板又は樹脂板であることを特徴とする投影スクリーン。
【請求項４】
請求項１記載の投影スクリーンにおいて、
前記投影部又は前記貼付部が、複数枚に分離可能に貼り合わせて構成されていることを特徴とする投影スクリーン。
【請求項５】
請求項１記載の投影スクリーンにおいて、
前記投影部の前記光学層と前記第３貼付層との間にハードコート層を設けることを特徴とする投影スクリーン。
【請求項６】
請求項１記載の投影スクリーンにおいて、
前記投影部の前記光学層のおもて面には、表面加工が施されていることを特徴とする投影スクリーン。
【請求項７】
請求項１記載の投影スクリーンにおいて、
前記投影部及び前記貼付部は、可撓性の材料で形成されていることを特徴とする投影スクリーン。
【発明の詳細な説明】
【技術分野】
【０００１】
本発明は、プロジェクタから投射される画像光が投影される投影スクリーンに関するものである。
【背景技術】
【０００２】
この種の投影スクリーンとしては、白色の紙材や布材の他、プラスチックフィルム上に光を白色散乱するインキを塗装したものなどが一般に用いられている。高品質な投影スクリーンとして、ビーズやパールなどを練りこんだ散乱層を含み、この散乱層によって映像光の散乱状態を制御するものが市販されている。近年では、プロジェクタ本体の小型化や価格の低下などに伴って、会議用以外にも家庭用途の需要が増加してきている。投影スクリーンの設置環境が、会議室や一般家庭のリビングスペースなど多様化している。この設置環境の多様化に応えるために、投影スクリーンの設置床スペースを必要とせず、筆記ボードや壁等の貼付対象物に貼り付け可能な貼り付け型の投影スクリーンが望まれている。
【０００３】
その貼り付け型の投影スクリーンとして、特許文献１に記載されたものが知られている。特許文献１の投影スクリーンは、プロジェクタ等の投影装置から投影された画像光を映す映像スクリーン部（投影部）を壁等の貼付対象物と分離可能に貼り付けるものである。具体的には、映像スクリーン部は、例えば投影スクリーンが反射型であれば指向性散乱層及び光反射層を含む光学層を備え、透過型であれば指向性散乱層及び光透過層を含む光学層を備えている。映像スクリーン部と貼付対象物との間には、貼付部が設けられている。この貼付部は、基材の両面に、多数の微細吸盤が形成された吸着層をそれぞれ備えている。そして、貼付部における一方の吸着層（第１貼付層）は、貼付対象物のおもて面と分離可能に吸着する。貼付部における他方の吸着層（第２貼付層）は、映像スクリーン部の光学層を設けたおもて面と反対側の面と分離可能に吸着する。これにより、映像スクリーン部を、貼付部を介して壁等の貼付対象物のおもて面に貼り付けることができる。
【発明の概要】
【発明が解決しようとする課題】
【０００４】
しかしながら、上記特許文献１の投影スクリーンでは、上記貼付部から映像スクリーン部を取り外したり、貼り付けたりする頻度が高いと上記貼付部における他方の吸着層の吸着力が弱くなる。このとき、一方の吸着層の吸着力が弱くなっていないにもかかわらず、新しい貼付部に交換しなければならない。このため、貼付部の交換頻度が高くなり、ランニングコストが高くなる。なお、貼付対象物や投影スクリーン部に対し、分離可能に貼り付く貼付力を有する層としては、吸着層を用いる他に、粘着性のある物質で形成される粘着層や、吸着磁力を有する磁着層を用いることも考えられる。これらを用いる場合にも同様の問題が生じ得る。
【０００５】
本発明は以上の問題点に鑑みなされたものであり、その目的は、貼付部の交換頻度を低くし、ランニングコスト高を抑えることができる投影スクリーンを提供することである。
【課題を解決するための手段】
【０００６】
上記目的を達成するために、請求項１の発明は、投影装置から投影された画像光を映す光学層を有する投影部と、貼付対象物に対向する側に設けられ、かつ分離可能に貼り付く貼付力を有する第１貼付層、及び前記投影部の前記光学層を設けたおもて面と反対側の面に対向する側に設けられ、かつ分離可能に貼り付く貼付力を有する第２貼付層を備えた貼付部とを有する投影スクリーンにおいて、前記投影部は、前記光学層を設けたおもて面と反対側に設けられ、かつ分離可能に貼り付く貼付力を有する第３貼付層を備え、該第３貼付層を前記第２貼付層に貼り付けることを特徴とするものである。
【発明の効果】
【０００７】
本発明では、貼付部の第２貼付層と投影部の第３貼付層とが分離可能に貼り付く。貼付部の第２貼付層の貼付力が弱くなった場合でも、投影部の第３貼付層の貼付力が弱くなっていなければ、投影部の第３貼付層だけで貼付部に投影部を貼り付けることができる。この結果、貼付部の交換頻度を低くすることができる。よって、ランニングコスト高を抑えることができる、という特有な効果が得られる。
【図面の簡単な説明】
【０００８】
【図１】本実施形態に係る投影スクリーンの使用状態の一例を示す概略斜視図である。
【図２】本実施形態の投影スクリーンの構成全体を示す断面図である。
【図３】貼付部と投影部とを分離したときの投影スクリーンを示す断面図である。
【発明を実施するための形態】
【０００９】
以下、本実施形態の投影スクリーンについて図１、図２及び図３を参照して説明する。図１は本実施形態に係る投影スクリーンの使用状態の一例を示す概略斜視図である。図２は本実施形態の投影スクリーンの構成全体を示す断面図であり、図３は貼付部と投影部とを分離したときの投影スクリーンを示す断面図である。
図１に示すように、投影スクリーン１は、貼付部１０及び投影部２０を含んで構成されている。投影部２０と壁３０との間に設けられる貼付部１０の裏面が、室内の壁３０のおもて面に貼り付けられる。そして、貼付部１０のおもて面には、投影部２０が貼り付けられる。壁３０は建物の壁に限定されず、筆記ボード、ガラス面、金属面、プラスチック面あるいはそれ以外の面であってもよい。
【００１０】
図２に示すように、貼付部１０は、貼付対象物の壁３０のおもて面に貼り付けられる粘着層１１と、投影部２０のマグネットシート２２と磁着するマグネットシート１２とを備えている。投影部２０は、図１のプロジェクタ１００等の投影装置から投影された画像光を映す光反射層シート２１と、貼付部１０のマグネットシート１２と磁着するマグネットシート２２とを備えている。マグネットシート１２とマグネットシート２２とが磁着することで貼付部１０と投影部２０とが容易に分離可能に貼り付けられている。そして、貼付部１０と投影部２０とが貼り付いて構成されている投影スクリーン１は、貼付部１０の粘着層１１によって、貼付対象物の壁３０のおもて面に貼り付けられる。図３に示すように、貼付部１０は貼付対象物の壁３０と分離可能に貼り付けられる。投影部２０は貼付部１０と分離可能に貼り付けられる。なお、マグネットシート１２及びマグネットシート２２の代わりに、粘着シートまたは吸着シートであってもよい。貼付部１０及び投影部２０はシート状ではなく、プレート状であってもよい。
【００１１】
本実施形態の投影スクリーン１では、粘着層１１が粘着力の弱い弱粘着のものである場合、貼ったり剥がしたりを繰り返して粘着力が弱まっても貼付部１０を交換すれば投影部２０は継続して使用することができる。貼付部１０のマグネットシート１２の磁着力が弱くなった場合、貼付部１０の粘着層１１の粘着力が弱くなっていないときであっても貼付部１０は継続して使用できる場合がある。それは、投影部２０のマグネットシート２２の磁着力が弱くなっていなければ、投影部２０のマグネットシート２２の磁着力だけで貼付部１０に投影部２０を貼り付けられるからである。粘着層１１が粘着力の強い強粘着のものである場合、マグネットシート１２及びマグネットシート２２によって分離可能であるので、貼付部１０と投影部２０は容易に分離できる。このため、投影部２０が貼付部１０を壁から剥がすとき傷つく可能性はない。また、貼付対象物の壁の表面形状等に応じて、貼付部１０を交換することで、投影部２０は継続して使用することができる。投影部２０は、マグネットシート２２によって磁着する貼付対象物であれば、単独で使用することができる。例えば、金属製の黒板やスチールパネルには投影部２０単独で磁着させて使用することができる。
【００１２】
そして、強度を高めるため、粘着層１１とマグネットシート１２との間、及び光反射層シート２１とマグネットシート２２との間には、ＰＥＴやウレタン等の基材が挟んであってもよい。上記ＰＥＴは、ポリエチレンテレフタレート（polyethylene terephthalate）の略称である。投影スクリーン１の平面性を高めるため、貼付部１０と投影部２０の片方または両方にアルミ板等の金属板またはアクリル板等の樹脂板を含んでもよい。光反射層シート２１の光反射面の強度を高めるため、ハードコート層が積層されていてもよい。光反射層シート２１の表面は、光拡散性を高めるためのエンボス加工や、筆記可能となるための平滑処理等の加工がなされていてもよい。マグネットシート１２、２２は、粘着層１１、光反射層シート２１に対し、全面を覆ってもよいし、全体又は一部の外周、あるいは四隅のみでもよい。貼付部１０及び投影部２０は、複数枚に分離され、タイル状に貼り合わせて使用する形態になっていてもよい。特に、貼付部１０は分離されていても、映像品質に支障をきたすことなく、設置を容易にすることができる。貼付部１０及び投影部２０は、可撓性の材料で形成することで、投影スクリーン１を、例えばロール状に巻き取ってまるめて、筐体、例えば円筒状の筐体に収納することができる。
【００１３】
ここで、投影スクリーン１は、光学的な特性によって主に拡散型、反射型、回帰型、透過型の４つの種類に大きく分けられる。拡散型の投影スクリーンは、投射光が拡散反射するため視野角が非常に広く、どの視聴角度でも色や明るさが大きく変わらないので多人数での視聴に向いている。反射型の投影スクリーンは、表面に細かなエンボス加工が施されているので、ある程度の視野角も確保することができる。回帰型の投影スクリーンは、投射光と同じ方向に反射光が戻る性質の再帰性反射を利用したものであり、スクリーンゲインが高く、外乱光の影響を受けにくく迷光にも強い投影スクリーンである。透過型のスクリーンは、ビニールやアクリル、ガラス等で作成された半透明のスクリーンであり、スクリーン背面に映像を投射してスクリーン前面から視聴する投影スクリーンである。本実施形態の投影スクリーンは、いずれの種類の投影スクリーンにも適用できる。
【００１４】
以上に説明したものは一例であり、本発明は、次の態様毎に特有の効果を奏する。
（態様１）
プロジェクタ１００等の投影装置から投影された画像光を映す光学層を有する光反射層シート２１等の投影部と、壁３０等の貼付対象物に対向する側に設けられ、かつ分離可能に貼り付く貼付力を有する粘着層１１等の第１貼付層、及び前記投影部２０の光学層を設けたおもて面と反対側の面に対向する側に設けられ、かつ分離可能に貼り付く貼付力を有するマグネットシート１２等の第２貼付層を備えた貼付部とを有する投影スクリーン１において、投影部２０は、光学層を設けたおもて面と反対側に設けられ、かつ分離可能に貼り付く貼付力を有するマグネットシート２２等の第３貼付層を備え、該マグネットシート２２等の第３貼付層をマグネットシート１２等の第２貼付層に貼り付ける。これによれば、上記実施形態について説明したように、貼付部１０のマグネットシート１２の磁着力が弱くなった場合、貼付部１０の粘着層１１の粘着力が弱くなっていないとき、投影部２０のマグネットシート２２の磁着力だけで貼付部１０に投影部２０を貼り付けられる。貼付部１０を交換せずに継続して使用できる。これにより、貼付部の交換頻度を低くすることができ、ランニングコスト高を抑えることができる。
（態様２）
（態様１）において、投影部又は貼付部の少なくともいずれかに、基材を含む。これによれば、上記実施形態について説明したように、投影スクリーン１の強度を高めることができる。
（態様３）
（態様２）において、基材は、金属板又は樹脂板である。これによれば、上記実施形態について説明したように、投影スクリーン１の平面性を高めることができる。
（態様４）
（態様１）において、投影部又は貼付部が、複数枚に分離可能に貼り合わせて構成されている。これによれば、上記実施形態について説明したように、投影部又は貼付部が分離されていても、映像品質に支障をきたすことなく、設置を容易にすることができる。
（態様５）
（態様１）において、投影部の光学層と第３貼付層との間にハードコート層を設ける。これによれば、上記実施形態について説明したように、光反射層シート２１の強度を高めることができる。
（態様６）
（態様１）において、投影部の光学層のおもて面には、表面加工が施されている。これによれば、上記実施形態について説明したように、光反射層シート２１の光拡散性、筆記性や映像品質を高めることができる。
（態様７）
（態様１）において、投影部及び貼付部は、可撓性の材料で形成されている。これによれば、上記実施形態について説明したように、投影スクリーン１は、例えばロール状に巻き取ってまるめて１つの筐体、例えば円筒状筐体に収納することができる。
【符号の説明】
【００１５】
１  投影スクリーン
１０  貼付部
１１  粘着層
１２  マグネットシート
２０  投影部
２１  光反射層シート
２２  マグネットシート
３０  壁
１００  プロジェクタ
【先行技術文献】
【特許文献】
【００１６】
【特許文献１】特開２００８−５８７８６号公報
【図１】
2014109721.tif 000003
【図２】
2014109721.tif 000004
【図３】
2014109721.tif 000005